(57)【要約】【課題】フリーアクセスフロアを敷設する施工現場で、垂直板部に配線を通すための開口部を容易に形成することができるフリーアクセスフロア用ボーダー部材を提供する。【解決手段】床面４と略平行に設けられる水平板部３２と、水平板部の一端を折り曲げて形成され、端部３４ａが床面に接地される垂直板部３４とを備えるフリーアクセスフロア用ボーダー部材３０であって、垂直板部に、床面側の端部が開放され床面から高さ方向に伸びる複数の溝３６が設けられるようにした。【効果】フリーアクセスフロアを敷設する施工現場で、垂直板部に配線を通すための開口部を容易に設けることができる。【選択図】図４
2008045359.tif 000002
【特許請求の範囲】
【請求項１】
床面と略平行に設けられる水平板部と、前記水平板部の一端を折り曲げて形成され、端部が床面に接地される垂直板部とを備えるフリーアクセスフロア用ボーダー部材であって、
前記垂直板部に、床面側の端部が開放され床面から高さ方向に伸びる複数の溝が設けられている
ことを特徴とするフリーアクセスフロア用ボーダー部材。
【請求項２】
前記垂直板部の高さ方向の長さよりも前記溝の長さが短いことを特徴とする請求項１に記載のフリーアクセスフロア用ボーダー部材。
【請求項３】
前記垂直板部に前記溝の幅よりも大きい幅を有する開口部が設けられていることを特徴とする請求項１又は２に記載のフリーアクセスフロア用ボーダー部材。
【請求項４】
前記垂直板部の床面側端部に折り曲げ部が形成されていることを特徴とする請求項１から３のいずれかに記載のフリーアクセスフロア用ボーダー部材。
【発明の詳細な説明】
【技術分野】
【０００１】
本発明は、例えば、クリーンルームやオフィスルーム等に敷設されるフリーアクセスフロアに用いられる、フリーアクセスフロア用ボーダー部材に関するものである。
【背景技術】
【０００２】
図１０は、フリーアクセスフロア６、及びこのフリーアクセスフロア６に用いられる従来のフリーアクセスフロア用ボーダー部材２（以下において、「ボーダー部材２」という。）を示す側面図である。
【０００３】
同図に示すフリーアクセスフロア６は、コンクリート等の床面４上に縦横に一定間隔で、互いに隣合って配置される複数の支持脚１６と、これら複数の支持脚１６の間を渡すようにして載置される複数のパネル部材８とを備えて構成されている。これにより、フリーアクセスフロア６は、複数の支持脚１６がその上に配置された床面４と、パネル部材８との間の空間に配線の束等を通すことができるようになっていた。
【０００４】
フリーアクセスフロア６のパネル部材８は、図示しないが、その平面形状が略矩形であって、縦方向及び横方向に所定長さを有する定形部材であるため、フリーアクセスフロア６が敷設される部屋の縦方向及び横方向の長さ寸法が、パネル部材８の縦方向及び横方向の長さ寸法の丁度倍数になっていない場合には、部屋の内側に隙間無くフリーアクセスフロア６を敷設することができないことになる。
【０００５】
すなわち、部屋の内側に、最初のパネル部材８は壁１０に接触させて配置し、これに隣接して次々と並べて配置された複数のパネル部材８の中の、最後に配置された最外周のパネル部材８と、この部屋の反対側の壁１０との間には、パネル部材８の長さ寸法より小さな中途半端な空間ができる。このため、この中途半端な空間にも部屋の床面を形成するために、金属製のボーダー部材２を配置するようにしていた。
【０００６】
ボーダー部材２は、フリーアクセスフロア６が敷設される床面４と略垂直の方向に厚さ（図１０中、寸法ｔ）を有し、床面４と略平行方向に一定の長さ（図１０中、紙面に垂直方向の長さ）と幅（図１０中横方向の長さ）を有する水平板部１２と、この水平板部１２の壁１０側を床面４側に垂直に折り曲げて先端が床面４に接するよう立設される垂直板部１４とを備えて構成されている。
【０００７】
ボーダー部材２は、その水平板部１２における幅方向の壁１０と反対側の端部１２ｂが、パネル部材８の上面に載置され、垂直板部１４が、床面４の壁１０寄りの位置に略垂直に突き立てられて配置される。
【０００８】
また、従来のボーダー部材２は、その長さ方向（図１０中、紙面に垂直の方向）に他のボーダー部材２と互いに隣り合うように並べて配置され、これら並べて配置される複数のボーダー部材２の中の最後に配置されるものは、その長さ方向の途中位置で切断されることにより長さ調整が行なわれるようになっていた。
【０００９】
このようなボーダー部材２により、フリーアクセスフロア６は、壁１０から離れた位置で、最外周のパネル部材８と床面４との間に高さ方向の段差が生じないようにし、かつ部屋の床面が形成されるようになっていた。
【００１０】
一方、このような従来のボーダー部材２を床面４上に配置した場合には、壁１０の床面４寄りの高さの位置に形成した配線孔１８と、ボーダー部材２の水平板部１２の下側の空間との間が、ボーダー部材２の垂直板部１４により遮断されるので、このままでは、壁１０の配線孔１８を通り、かつ、ボーダー部材２の水平板部１２の下側の空間を経由して、パネル部材８の下側の空間に配線を通すことができない。
【００１１】
また、ボーダー部材２の垂直板部１４と壁１０との間の隙間内に、壁１０の際に沿って伸びるように（図１０中、紙面に垂直の方向に伸びるように）、不図示の配線を敷設したような場合には、垂直板部１４と壁１０との間の隙間と、ボーダー部材２の水平板部１２の下側の空間との間が、やはり、垂直板部１４により遮断されているので、垂直板部１４と壁１０との間の隙間を通る不図示の配線を、その長さ方向の中間位置でパネル部材８側に折り曲げて、ボーダー部材２の水平板部１２の下側の空間内に入り込ませることができないため、この水平板部１２の下側の空間を経由して配線をパネル部材８の下側の空間まで通すことができない。
【００１２】
このため、ボーダー部材２の垂直板部１４に配線を通すことができる程度の大きさの開口部を設ける必要があり、このような開口部を設ける作業は、フリーアクセスフロア６を敷設する施工現場において配線が通る経路等を確認しながら行なわれていた。
【発明の開示】
【発明が解決しようとする課題】
【００１３】
しかしながら、上述したような従来のボーダー部材２においては、フリーアクセスフロア６を敷設する施工現場において、垂直板部１４に配線を通すための開口部を設ける作業を行なう必要があるため、このような作業が非常に大変であるという問題があった。
【００１４】
また、従来のボーダー部材２は、その長さ方向（図１０中、紙面に垂直の方向）に他のボーダー部材２と互いに隣り合うように並べて配置され、これら並べて配置される複数のボーダー部材２の中の最後に配置されるものは、その長さ調整のために長さ途中位置で切断される。
【００１５】
仮に、ボーダー部材２が水平板部１２のみで構成されている場合には簡易な工具で切断することが可能であるが、ボーダー部材２が水平板部１２と垂直板部１４で構成されている場合には、簡易な工具では切断することができないという問題があった。
【００１６】
そこで本発明は、上記問題点に鑑みて、フリーアクセスフロアを敷設する施工現場で、垂直板部に配線を通すための開口部を容易に形成することができるフリーアクセスフロア用ボーダー部材を提供することを課題とするものである。
【００１７】
また、本発明は、上記問題点に鑑みて、簡易の工具だけでその長さ調整のために長さ途中位置で簡単に切断することができるフリーアクセスフロア用ボーダー部材を提供することを課題とするものである。
【課題を解決するための手段】
【００１８】
上記課題を解決するために本発明は、
床面と略平行に設けられる水平板部と、前記水平板部の一端を折り曲げて形成され、端部が床面に接地される垂直板部とを備えるフリーアクセスフロア用ボーダー部材であって、
前記垂直板部に、床面側の端部が開放され床面から高さ方向に伸びる複数の溝が設けられていることを特徴とするものである。
【００１９】
また、本発明によるフリーアクセスフロア用ボーダー部材において、前記垂直板部の高さ方向の長さよりも前記溝の長さが短いことを特徴とするものである。
【００２０】
また、本発明によるフリーアクセスフロア用ボーダー部材において、前記垂直板部に前記溝の幅よりも大きい幅を有する開口部が設けられていることを特徴とするものである。
【００２１】
また、本発明によるフリーアクセスフロア用ボーダー部材において、前記垂直板部の床面側端部に折り曲げ部が形成されていることを特徴とするものである。
【発明の効果】
【００２２】
このような本発明に係るフリーアクセスフロア用ボーダー部材によれば、
床面と略平行に設けられる水平板部と、前記水平板部の一端を折り曲げて形成され、端部が床面に接地される垂直板部とを備えるフリーアクセスフロア用ボーダー部材であって、
前記垂直板部に、床面側の端部が開放され床面から高さ方向に伸びる複数の溝が設けられていることにより、
フリーアクセスフロアを敷設する施工現場で、溝同士の間の櫛歯部を折り曲げるだけで垂直板部に配線を通すための開口部を容易に形成することができる。
【００２３】
また、本発明のフリーアクセスフロア用ボーダー部材において、前記垂直板部の高さ方向の長さよりも前記溝の長さが短いことにより、垂直板部の強度を確保することができる。
【００２４】
また、本発明のフリーアクセスフロア用ボーダー部材において、前記垂直板部に前記溝の幅よりも大きい幅を有する開口部が設けられていることにより、簡易の工具だけでその長さ調整のために長さ途中位置で簡単に切断することができる。
【００２５】
また、本発明のフリーアクセスフロア用ボーダー部材において、前記垂直板部の床面側端部に折り曲げ部が形成されていることにより、１種類のフリーアクセスフロア用ボーダー部材を、垂直板部の折り曲げ部を折り曲げた状態と延ばした状態の２種類の床高さに用いることができる。
【発明を実施するための最良の形態】
【００２６】
以下、本発明に係るフリーアクセスフロア用ボーダー部材を実施するための最良の形態について、図面に基づいて具体的に説明する。
【００２７】
図１から図４は、本発明の第１の実施の形態に係るフリーアクセスフロア用ボーダー部材３０（以下において、「ボーダー部材３０」という。）について説明するために参照する図である。従来と同様の部分には同じ符号を用いて説明し、従来と同様の構成についての重複する説明は省略するものとする。
【００２８】
図１から図３のそれぞれは、本実施の形態に係るボーダー部材３０の側面図、平面図、及び正面図である。図１及び図２に示すように、ボーダー部材３０は、水平板部３２と垂直板部３４とを備えており、側面の外観形状が、図１０に示す従来のボーダー部材２の側面形状とほぼ同様に形成されている。
【００２９】
これにより、本実施の形態に係るボーダー部材３０は、図４に示すように、従来のボーダー部材２と同様に、フリーアクセスフロア６の最外周のパネル８と、壁１０との間に配置することができるようになっている。つまり、ボーダー部材３０は、その水平板部３２における垂直板部３４とは反対側の端部３２ｂが、パネル部材８の上面に載置され、垂直板部３４が、床面４の壁１０寄りの位置に略垂直に突き立てられて配置されている。
【００３０】
また、本実施の形態に係るボーダー部材３０には、図３に示すように、垂直板部３４に複数の溝３６が設けられている。複数の溝３６のそれぞれは、垂直板部３４の高さ方向に伸びて互いに平行になるように形成されており、ボーダー部材３０の長さ方向に一定間隔に並んで形成されている。
【００３１】
また、複数の溝３６のそれぞれは、垂直板部３４の床面４に突き当てられる側の端部３４ａ側に開放されるように形成されていて、垂直板部３４の高さ方向の長さよりも短い長さで形成されている。
【００３２】
垂直板部３４は、複数の溝３６が一定間隔に並んで形成されていることにより、これら溝３６同士の間の幅を有する各部分が、櫛の歯のように一列に並んでいるので、これら溝３６同士の間の各部分を櫛歯部３８と呼ぶこととする。これら櫛歯部３８は、フリーアクセスフロア６を敷設する施工現場において、任意のものを根元から、水平板部３２における端部３２ｂ側（図３中、紙面に垂直の奥側）に折り曲げることができる。
【００３３】
このような本実施の形態に係るボーダー部材３０によれば、図４に示すように、壁１０の配線孔１８に対応する位置の、垂直板部３４の櫛歯部３８を図中右側に折り曲げて、その櫛歯部３８が無くなった空隙部から配線を通すことができるので、フリーアクセスフロア６を敷設する施工現場で、垂直板部３４に配線を通すための開口部を容易に形成することができる。
【００３４】
このため、壁１０の配線孔１８と、水平板部３２の下側の空間との間、又は、垂直板部３４と壁１０との間の隙間と、水平板部３２の下側の空間との間に配線を通すことが容易に可能となる。
【００３５】
また、本実施の形態に係るボーダー部材３０では、垂直板部３４の高さ方向の長さよりも溝３６の長さが短くなるよう形成されているので、垂直板部３４の強度を確保することができる。
【００３６】
次に、図４及び図５は、本発明の第２の実施の形態に係るボーダー部材４０について説明するために参照する図である。本実施の形態に係るボーダー部材４０は、その側面及び平面の外観形状が、前記第１の実施の形態に係るボーダー部材３０の形状とほぼ同様であるため、側面図及び平面図は省略する。
【００３７】
本実施の形態に係るボーダー部材４０は、図５に示すように、前記第１の実施の形態に係るボーダー部材３０の垂直板部３４とは異なる形状の垂直板部４２を備えている。この垂直板部４２には、複数の開口部４４が設けられている。開口部４４のそれぞれは、垂直板部４２の床面４に突き当てられる側の端部４２ａ側に開放されるように形成されている。また、開口部４４のそれぞれは、後述する溝４６の幅よりも大きい幅Ｗを有して、垂直板部４２の高さ方向の長さが、垂直板部４２の高さＨと同じ長さとなるように形成されている。
【００３８】
また、開口部４４同士の間の各部分には、前記第１の実施の形態に係るボーダー部材３０の溝３６と同様の溝４６が３本設けられていることにより、やはり、前記第１の実施の形態に係るボーダー部材３０の櫛歯部３８と同様の櫛歯部４８が４つ並んで設けられている。したがって、垂直板部４２には、開口部４４と、互いに隣り合って並ぶ４つの櫛歯部４８の一群とが、交互に配置されるように形成されている。
【００３９】
このような本実施の形態に係るボーダー部材４０によれば、開口部４４に配線を通すことができると共に、この開口部４４の開口幅だけでは足りないような場合には、図４に示すように、垂直板部４２の櫛歯部４８を、必要に応じて開口部４４の隣のものから順に図中右側に折り曲げることにより、開口幅を広げることができる。
【００４０】
このため、壁１０の配線孔１８と、水平板部３２の下側の空間との間、又は、垂直板部４２と壁１０との間の隙間と、水平板部３２の下側の空間との間に配線を通すことが容易に可能となる。
【００４１】
また、本実施の形態に係るボーダー部材４０では、垂直板部４２におけるその高さ方向の長さよりも溝４６の長さが短くなるよう形成されているので、垂直板部４２の強度を確保することができる。
【００４２】
また、本実施の形態に係るボーダー部材４０は、図５に示すように、その長さ方向における各開口部４４が形成された長さ範囲内において、水平板部３２と垂直板部４２とがＬ字断面を構成しないので、簡易の工具だけで、開口部４４が形成された長さ範囲内で水平板部３２を簡単に切断することができる。このため、ボーダー部材４０は、その長さ調整のために、開口部４４に対応する水平板部３２を切断することにより、ボーダー部材４０をその長さ途中で簡単に切断することができる。
【００４３】
次に、図６から図８は、本発明の第３の実施の形態に係るボーダー部材５０について説明するために参照する図である。本実施の形態に係るボーダー部材５０は、図６及び図７に示すように、前記第１の実施の形態に係るボーダー部材３０の垂直板部３４とは異なる垂直板部５２を備えている。
【００４４】
本実施の形態に係るボーダー部材５０の垂直板部５２は、その高さ方向における床面４側の端部５２ａに、水平板部３２の幅方向における垂直板部５２とは反対側の端部３２ｂ側にほぼ平行に伸びるように形成された、折り曲げ部５５が設けられている。
【００４５】
このボーダー部材５０は、図示しないが、その製作過程中における折り曲げ部５５の形成前の段階において、垂直板部５２の高さ方向の寸法が、折り曲げ部５５の長さ分だけ余計に長く形成されていて、折り曲げ部５５は、この当初の垂直板部５２の先端部が、水平板部３２の幅方向の端部３２ｂ側に略直角に折り曲げられることにより形成されたものである。
【００４６】
また、本実施の形態に係るボーダー部材５０の垂直板部５２には、図７に示すように、前記第１の実施の形態に係るボーダー部材３０の溝３６と同様の溝５６が複数設けられている。溝５６同士の間の各部分を、前記第１の実施の形態に係るボーダー部材３０の櫛歯部３８と同様に、櫛歯部５８と呼ぶこととする。
【００４７】
これら複数の櫛歯部５８は、前記第１の実施の形態に係るボーダー部材３０の櫛歯部３８と同様に、フリーアクセスフロア６を敷設する施工現場において、任意のものを根元から、水平板部３２における端部３２ｂ側（図７中、紙面に垂直の奥側）に折り曲げることができる。
【００４８】
このような本実施の形態に係るボーダー部材５０によれば、図８に示すように、壁１０の配線孔１８に対応する位置の、垂直板部５２の櫛歯部５８を図中右側に折り曲げて、その櫛歯部５８が無くなった空隙部から配線を通すことができるので、前記第１の実施の形態に係るボーダー部材３０と同様に、フリーアクセスフロア６を敷設する施工現場で、垂直板部５２に配線を通すための開口部を容易に形成することができる。
【００４９】
このため、壁１０の配線孔１８と、水平板部３２の下側の空間との間、又は、垂直板部５２と壁１０との間の隙間と、水平板部３２の下側の空間との間に配線を通すことが容易に可能となる。
【００５０】
また、本実施の形態に係るボーダー部材５０では、垂直板部５２の高さよりも溝５６の長さが短くなるよう形成されているので、垂直板部５２の強度を確保することができる。
【００５１】
また、本実施の形態に係るボーダー部材５０の折り曲げ部５５は、製作過程中の当初段階における垂直板部５２の先端部を折り曲げて形成されたものであるが、この折り曲げ部５５を、垂直板部５２の伸びる方向と同じ方向に向くように曲げ戻すことができるので、ボーダー部材５０は、垂直板部５２の高さが、折り曲げ部５５の長さ分だけ高くなるよう高さ調節することができる。
【００５２】
これにより、本実施の形態に係るボーダー部材５０は、このボーダー部材５０の折り曲げ部５５の長さ分を含まない垂直板部５２の高さに対応する高さの、フリーアクセスフロア６だけでなく、このようなフリーアクセスフロア６よりも折り曲げ部５５の長さ分だけ高い、図示しない別のフリーアクセスフロアにも用いることができる。
【００５３】
したがって、本実施の形態に係るボーダー部材５０は、１種類で、垂直板部５２の折り曲げ部５５を折り曲げた状態と延ばした状態の２種類の床高さに用いることができる。
【００５４】
次に、図８及び図９は、本発明の第４の実施の形態に係るボーダー部材６０について説明するために参照する図である。
【００５５】
本実施の形態に係るボーダー部材６０は、図９に示すように、前記第２の実施の形態に係るボーダー部材４０の垂直板部４２とは異なる垂直板部６２を備えている。垂直板部６２には、前記第２の実施の形態に係るボーダー部材４０の開口部４４と同様の開口部６４が複数設けられていると共に、前記第３の実施の形態に係るボーダー部材５０の折り曲げ部５５と同様の折り曲げ部６５が設けられている。
【００５６】
また、開口部６４同士の間の各部分には、前記第２の実施の形態に係るボーダー部材４０の溝４６と同様の溝６６が３本設けられていることにより、やはり、前記第２の実施の形態に係るボーダー部材４０の櫛歯部４８と同様の櫛歯部６８が４つ並んで設けられている。したがって、垂直板部６２には、開口部６４と、互いに隣り合って並ぶ４つの櫛歯部６８の一群とが、交互に配置されるように形成されている。
【００５７】
このような本実施の形態に係るボーダー部材６０によれば、開口部６４に配線を通すことができると共に、この開口部６４の開口幅だけでは足りないような場合には、図８に示すように、垂直板部６２の櫛歯部６８を、必要に応じて開口部６４の隣のものから順に図中右側に折り曲げることにより、開口幅を広げることができる。
【００５８】
このため、壁１０の配線孔１８と、水平板部３２の下側の空間との間、又は、垂直板部６２と壁１０との間の隙間と、水平板部３２の下側の空間との間に配線を通すことが容易に可能となる。
【００５９】
また、本実施の形態に係るボーダー部材６０では、垂直板部６２の高さよりも溝６６の長さの方が短くなるよう形成されているので、垂直板部６２の強度を確保することができる。
【００６０】
また、本実施の形態に係るボーダー部材６０は、図９に示すように、その長さ方向における各開口部６４が形成された長さ範囲内において、水平板部３２と垂直板部６２とがＬ字断面を構成しないので、簡易な工具だけで、開口部６４が形成された長さ範囲内で水平板部３２を簡単に切断することができる。このため、ボーダー部材６０は、その長さ調整のために、開口部６４に対応する水平板部３２を切断することにより、ボーダー部材６０をその長さ途中で簡単に切断することができる。
【００６１】
また、本実施の形態に係るボーダー部材６０は、前記第３の実施の形態に係るボーダー部材５０と同様に、１種類で、垂直板部６２の折り曲げ部６５を折り曲げた状態と延ばした状態の２種類の床高さに用いることができる。
【００６２】
なお、前記第１の実施の形態に係るボーダー部材３０において、溝３６は、その長さが垂直部材３４の高さよりも短くなるよう形成されていたが、強度的に問題がない場合には、溝３６は、その長さが垂直部材３４の高さと等しくなるように形成されていてもよい。前記第２から第４の実施の形態に係るボーダー部材４０，５０，６０においても同様である。
【００６３】
また、前記第２及び第４の実施の形態に係るボーダー部材４０，６０において、垂直板部４２，６２は、４つの櫛歯部４８，６８の一群と、開口部４４，６４とが、交互に配置されるように形成されていたが、開口部４４，６４と櫛歯部４８，６８とは適宜自由に配置できることはいうまでもない。
【００６４】
また、前記第１の実施の形態に係るボーダー部材３０において、図３に示す溝３６は、垂直板部３４の端部３４ａ側に実際に開放されるように形成されていたが、溝３６が端部３４ａ側に開放しないように形成することとしても、容易に開放端を設けられる構成であり、かつ本発明の目的と同様な使用方法である場合には、形式的に初期段階で開放されていなくても、前記第１の実施の形態に係るボーダー部材３０と実質的に同一であるということができる。前記第２から第４の実施の形態に係るボーダー部材４０，５０，６０においても同様である。
【００６５】
例えば、前記第１の実施の形態に係るボーダー部材３０において、仮に、溝３６が端部３４ａ側に開放しないように形成され、隣合う櫛歯３８同士の互いの端部が繋がって形成された場合であっても、このような櫛歯３８同士の互いに繋がっている部分が、櫛歯３８本体を根元から折り曲げる作業の際に、一緒にへし折ったり千切ったりすることができる程度のものである場合には、溝３６は、実質的に、垂直板部３４の端部３４ａ側に開放されるように形成されているということができるので、前記第１の実施の形態に係るボーダー部材３０においては、溝３６が、このように形成される場合も含むものとする。前記第２から第４の実施の形態に係るボーダー部材４０，５０，６０においても同様である。
【００６６】
また、前記第２及び第４の実施の形態に係るボーダー部材４０，６０において、図５及び図９に示す開口部４４，６４は、垂直板部４２，６２の高さ方向に、この垂直板部４２，６２の高さと同じ長さを有するように形成されていたが、垂直板部４２の高さよりも短い長さを有するように形成されていてもよく、このような場合でもボーダー部材４０，６０は、その長さ調整のための切断作業が、開口部４４，６４の長さが垂直板部４２，６２の高さに近付けて形成されているほど、容易にすることができる。
【図面の簡単な説明】
【００６７】
【図１】本発明の第１の実施の形態に係るボーダー部材３０を示す側面図である。
【図２】本発明の第１の実施の形態に係るボーダー部材３０を示す平面図である。
【図３】本発明の第１の実施の形態に係るボーダー部材３０を示す正面図である。
【図４】本発明の第１及び第２の実施の形態に係るボーダー部材３０，４０を、フリーアクセスフロア６の最外周のパネル８と、壁１０との間に配置した状態を示す側面図である。
【図５】本発明の第２の実施の形態に係るボーダー部材４０を示す正面図である。
【図６】本発明の第３の実施の形態に係るボーダー部材５０を示す側面図である。
【図７】本発明の第３の実施の形態に係るボーダー部材５０を示す正面図である。
【図８】本発明の第３及び第４の実施の形態に係るボーダー部材５０，６０を、フリーアクセスフロア６の最外周のパネル８と、壁１０との間に配置した状態を示す側面図である。
【図９】本発明の第４の実施の形態に係るボーダー部材６０を示す正面図である。
【図１０】従来のボーダー部材２、及びフリーアクセスフロア６を示す側面図である。
【符号の説明】
【００６８】
２  フリーアクセスフロア用ボーダー部材
４  床面
６  フリーアクセスフロア
８  パネル部材
１０  壁
１２  水平板部
１２ａ，１２ｂ  端部
１４  垂直板部
１４ａ  端部
１６  支持脚
１８  配線孔
３０  フリーアクセスフロア用ボーダー部材
３２  水平板部
３２ｂ  端部
３４  垂直板部
３４ａ  端部
３６  溝
３８  櫛歯部
４０  フリーアクセスフロア用ボーダー部材
４２  垂直板部
４４  開口部
４６  溝
４８  櫛歯部
５０  フリーアクセスフロア用ボーダー部材
５２  垂直板部
５５  折り曲げ部
５６  溝
５８  櫛歯部
６０  フリーアクセスフロア用ボーダー部材
６２  垂直板部
６４  開口部
６５  折り曲げ部
６６  溝
６８  櫛歯部
【図１】
2008045359.tif 000003
【図２】
2008045359.tif 000004
【図３】
2008045359.tif 000005
【図４】
2008045359.tif 000006
【図５】
2008045359.tif 000007
【図６】
2008045359.tif 000008
【図７】
2008045359.tif 000009
【図８】
2008045359.tif 000010
【図９】
2008045359.tif 000011
【図１０】
2008045359.tif 000012